(57)【要約】  【課題】  シート状食品と米飯加工食品とを分離した状態で包装し、しかも、特に柔らかくふんわりと握られた米飯加工食品がどのような形状であっても、割れることなく開封することができる米飯加工食品の包装体を提供する。  【解決手段】  本発明の米飯加工食品の包装体は、内端部１１，２１が重なり合って鋸歯形状ないし波形状にシールＡされた一対の内フィルム１０，２０と、該一対の内フィルム１０，２０とほぼ同じ大きさの外フィルム３０とがシート状の海苔１を介して重ね合わされ、一対の内フィルム１０，２０の内端部１１，２１を除いて両フィルム１０，２０，３０の外周部１３，２３，３３がシールされ、一方の内フィルム１０上に帯状フィルム４０の中間部４１がバーシールされ、該内フィルム１０の各側縁から帯状フィルム４０の端部４２，４２が突出している。【選択図】  図１
2005160439.tif 000002
【特許請求の範囲】
【請求項１】
内端部が重なり合ってシールされた一対の内フィルムと、該一対の内フィルムとほぼ同じ大きさの外フィルムとがシート状食品を介して重ね合わされ、両フィルムの外周部がシールされ、
一方の内フィルム上に帯状フィルムの中間部がシールされ、該一方の内フィルムの各側縁から帯状フィルムの端部が突出していることを特徴とする米飯加工食品の包装体。
【請求項２】
前記一対の内フィルムの重なり合っている内端部は、鋸歯形状ないし波形状にシールされていることを特徴とする請求項１に記載の米飯加工食品の包装体。
【請求項３】
前記他方の内フィルムの内端部に、耳折り部が設けられ、該内端部を除いて両フィルムの外周部がシールされていることを特徴とする請求項１または２に記載の米飯加工食品の包装体。
【請求項４】
前記帯状フィルムと内フィルムとは、バーシールされていることを特徴とする請求項１ないし３のいずれか一つに記載の米飯加工食品の包装体。
【請求項５】
前記帯状フィルムの中間部の内端部は、前記一方の内フィルムとシールされていないことを特徴とする請求項１ないし４のいずれか一つに記載の米飯加工食品の包装体。
【請求項６】
前記帯状フィルムの中間部の外側部と前記一方の内フィルムの外端部とが重なり合っていることを特徴とする請求項１ないし５のいずれか一つに記載の米飯加工食品の包装体。
【請求項７】
前記請求項１ないし５のいずれか一つに記載の米飯加工食品の包装体によって米飯加工食品を包装した米飯加工食品の包装具であって、
前記帯状フィルムの中間部が米飯加工食品の一方の面に重ね合わされ、帯状フィルムの２枚の端部が米飯加工食品の他方の面に折り重ねられた状態で、前記外フィルムが二つ折りとされ、接合した内フィルムの外端部がシールされていることを特徴とする米飯加工食品の包装具。
【請求項８】
前記内フィルムの外端部同士は、剥離不可能にシールされ、このシールされた部分よりも内側の外フィルムに切断手段が備えられていることを特徴とする請求項７に記載の米飯加工食品の包装具。
【請求項９】
前記内フィルムの外端部同士は、剥離可能にシールされていることを特徴とする請求項７に記載の米飯加工食品の包装具。
【請求項１０】
前記請求項６に記載の米飯加工食品の包装体によって米飯加工食品を包装した米飯加工食品の包装具であって、
前記帯状フィルムの中間部が米飯加工食品の一方の面に重ね合わされ、帯状フィルムの２枚の端部が米飯加工食品の他方の面に折り重ねられた状態で、前記外フィルムが二つ折りとされ、接合した帯状フィルムの中間部の外側部と帯状フィルムの端部の外側部とがシールされるとともに、該帯状フィルムの外側部と内フィルムの外端部とが重なり合ってシールされていることを特徴とする米飯加工食品の包装具。
【請求項１１】
前記帯状フィルムの外側部同士は、剥離不可能にシールされ、このシールされた部分よりも内側の外フィルムに切断手段が備えられていることを特徴とする請求項１０に記載の米飯加工食品の包装具。
【請求項１２】
前記帯状フィルムの外側部同士は、剥離可能にシールされていることを特徴とする請求項１０に記載の米飯加工食品の包装具。
【請求項１３】
前記米飯加工食品の他方の面に折り重ねられている帯状フィルムの各端部同士は、ポイントシールまたは全長もしくは一部分を鋸歯形状ないし波形状もしく直線状に剥離可能にシールされていることを特徴とする請求項７ないし１２のいずれか一つに記載の米飯加工食品の包装具。
【発明の詳細な説明】
【技術分野】
【０００１】
本発明は、例えば、シート状の海苔のようなシート状食品と、おにぎりのような米飯加工食品とを分離した状態で包装するための米飯加工食品の包装体、およびこの米飯加工食品の包装体によってシート状食品と米飯加工食品とを分離した状態で包装した米飯加工食品の包装具に関する。
【背景技術】
【０００２】
コンビニエンスストアなどで販売されている海苔付きおにぎりは、搬送中や陳列中などにおいて、おにぎりの水分によって海苔が湿気ることがないようにするため、おにぎりと海苔とを別々に収納する米飯加工食品の包装具によって包装されている。例えば、特許文献１には、棒状の握飯とシート状の海苔とを別々に包装する握飯包装用シートが開示されている。
【０００３】
この握飯包装用シートは、図１１（ａ）に示すように、長方形状の外フィルム１１１と内フィルム１１２とがシート状の海苔１０１を介して重ね合わされ、両フィルム１１１，１１２の外周部１１３，１１３をシールし、内フィルム１１２の片側約半分に帯状フィルム１１４の中間部１１４ａが重ね合わされて貼着され、この帯状フィルム１１４の両端部１１４ｂ，１１４ｂが内フィルム１１２の両側縁から突出するようにされている。また、外フィルム１１１および内フィルム１１２の中心線、そして、この中心線と重なっている帯状フィルム１１４には、各フィルム１１１，１１２，１１４が分割されやすいようにするためのミシン目１１０，１１０，１１０が入れられている。
【０００４】
そして、図１１（ｂ）に示すように、帯状フィルム１１４の中間部１１４ａに棒状の握飯１０２が載せされ、帯状フィルム１１４の両端部１１４ｂ，１１４ｂが握飯１０２と重なるように折り曲げられる。そして、図１１（ｃ）に示すように、内フィルム１１２が内側になるように内フィルム１１２と外フィルム１１１とを握飯１０２に巻き付け、外フィルム１１１の端部にテープ１１５を貼付すると、握飯包装用シートが握飯１０２と海苔１０１とを分離した状態で包装した状態となる。
【０００５】
この握飯１０２を食するには、外フィルム１１１、内フィルム１１２および帯状フィルム１１４の両端部を反対方向に引っ張ることによって、これらのフィルム１１１，１１２，１１４を各ミシン目１１０，１１０，１１０で分断する。すると、内フィルム１１２および帯状フィルム１１４が握飯１０２と海苔１０１との間から引き抜かれ、パリパリの状態の海苔１０１が握飯１０２を巻いた状態となる。
【特許文献１】実開昭６３−１６１１７２号公報
【発明の開示】
【発明が解決しようとする課題】
【０００６】
特許文献１に開示された握飯包装用シート、その他の米飯加工食品の包装体は、握飯１０２、おにぎり、その他の米飯加工食品（以下、主として「おにぎり」という。）と、シート状の海苔１０１のようなシート状食品（以下、主として「海苔」という。）との間に介在している内フィルム１１２の両端部を反対方向に引っ張ることによって二分割し、または当初から分割されている２枚の内フィルムをおにぎりと海苔１０１との間から引き抜くことによって食することができる。
【０００７】
このとき、特許文献１に開示された握飯包装用シートにあっては、分割された帯状フィルム１１４が握飯１０２を擦りながら反対方向に引っ張るため、握飯１０２には帯状フィルム１１４によって反対方向の力が加えられ、その他の米飯加工食品の包装体にあっては、内フィルムがおにぎりを擦りながら反対方向に引っ張るため、おにぎりには反対方向の力が加えられる。したがって、ふんわり感を強調するため、非常に弱い力で成形されたおにぎりにあっては、反対方向の力が加えられることにより、割れるなど形崩れしてしまう。
【０００８】
また、特許文献１に開示された握飯包装用シートは、外フィルム１１１、内フィルム１１２そして帯状フィルム１１４が握飯１０２を円筒状に巻き付くため、棒状の握飯１０２を包装することができるものの、一般的な三角形のおにぎりを包装することができる構成となっていない。
【０００９】
そこで、本発明は、シート状食品と米飯加工食品とを分離した状態で包装し、しかも、特に柔らかくふんわりと握られた米飯加工食品がどのような形状であっても、割れることなく開封することができるようにした米飯加工食品の包装体および米飯加工食品の包装具を提供することを課題とする。
【課題を解決するための手段】
【００１０】
本発明にかかる米飯加工食品の包装体は、内端部が重なり合ってシールされた一対の内フィルムと、該一対の内フィルムとほぼ同じ大きさの外フィルムとがシート状食品を介して重ね合わされ、両フィルムの外周部がシールされ、一方の内フィルム上に帯状フィルムの中間部がシールされ、該一方の内フィルムの各側縁から帯状フィルムの端部が突出していることを特徴としている。
【００１１】
この米飯加工食品の包装体によれば、シート状食品が一対の内フィルムと外フィルムとの間に挟まれた状態で、両フィルムの外周部がシールされるため、シート状食品は、ほぼ密封された状態となり、湿気らないようにされている。そして、帯状フィルムの中間部に米飯加工食品の一方の面を重ね合わせ、帯状フィルムの２枚の端部を米飯加工食品の他方の面に折り重ね合わせることにより、帯状フィルムが米飯加工食品を包むようにした状態で、外フィルムが二つ折りにされ、接合した内フィルムの外端部同士がシールされ、または帯状フィルムの中間部の外側部と帯状フィルムの２枚の端部の外側部とがシールされることにより、米飯加工食品は帯状フィルムによってほぼ密封された状態となる。この米飯加工食品の包装具は、シールされた内フィルムの外端部または帯状フィルムの外側部を切除することにより、開封することができる。内フィルムの外端部または帯状フィルムの外側部を切除するときは、内フィルムおよび帯状フィルムが米飯加工食品を擦ることがなく、米飯加工食品に力が加えられないため、米飯加工食品は割れることなく、パリパリ感を有しているシート状食品に包まれて食することができる。
【００１２】
また、前記米飯加工食品の包装体において、前記一対の内フィルムの重なり合っている内端部は、鋸歯形状ないし波形状にシールされていることが好ましい。この米飯加工食品の包装体によれば、内フィルムの内端部が鋸歯形状ないし波形状にシールされることにより、シールに多数の頂点が形成され、この頂点にシールを引き裂く力が最初に加えられるため、直線状にシールされているときよりも、弱い力で、両内フィルムの内端部のシールを剥離すことができる。
【００１３】
また、前記米飯加工食品の包装体において、前記他方の内フィルムの内端部に、耳折り部が設けられ、該内端部を除いて両フィルムの外周部がシールされていることが好ましい。この米飯加工食品の包装体によれば、この耳折り部を摘んで他方の内フィルムの内端部を、シールされている一方の内フィルムの内端部から剥離し、さらに他方の内フィルムの外周部を、シールされている外フィルムの外周部から剥離することができる。なお、内フィルムの内端部を除いて両フィルムの外周部がシールされることにより、耳折り部はシールされないで、摘み上げることができるようにされている。
【００１４】
また、前記米飯加工食品の包装体において、前記帯状フィルムと内フィルムとは、バーシールされていることが好ましい。この米飯加工食品の包装体によれば、帯状フィルムが内フィルムに強固に貼着され、帯状フィルムに包まれた米飯加工食品は、外フィルムが二つ折りにされた状態で、内外のフィルム間から飛び出ないようにすることができる。なお、内フィルムは外フィルムと重なり合っているため、帯状フィルムと内フィルムと外フィルムとがバーシールによって一体にシールされるようにしてもよい。
【００１５】
また、前記米飯加工食品の包装体において、前記帯状フィルムの中間部の内端部は、前記一方の内フィルムとシールされていないようにしてもよい。この米飯加工食品の包装体によれば、帯状フィルムの中間部の内端部は一方の内フィルムとシールされていないため、米飯加工食品の底部を包むように折り曲げ、ほぼ完全に密封した状態に包装することができるようになる。
【００１６】
また、前記米飯加工食品の包装体において、前記帯状フィルムの中間部の外側部と前記一方の内フィルムの外端部とが重なり合っていてもよい。この米飯加工食品の包装体によれば、外フィルムが二つ折りにされたときに、帯状フィルムの中間部の外側部と帯状フィルムの２枚の端部の外側部とが重なり合ってシールされるため、帯状フィルムが米飯加工食品をほぼ密封した状態に包装することができる。なお、帯状フィルムの中間部の外側部と一方の内フィルムの外端部とが重なり合わず、一方の内フィルムの外端部が露出するときは、外フィルムが二つ折りにされたときに、内フィルムの外端部同士が重なり合ってシールされる。
【００１７】
そして、本発明にかかる米飯加工食品の包装具は、前記帯状フィルムの中間部の外側部と前記一方の内フィルムの外端部とが重なり合っていない米飯加工食品の包装体によって米飯加工食品を包装した米飯加工食品の包装具であって、前記帯状フィルムの中間部が米飯加工食品の一方の面に重ね合わされ、帯状フィルムの２枚の端部が米飯加工食品の他方の面に折り重ねられた状態で、前記外フィルムが二つ折りとされ、接合した内フィルムの外端部がシールされていることを特徴としている。
【００１８】
この米飯加工食品の包装具によれば、シート状食品は一対の内フィルムと外フィルムとの間に挟まれてほぼ密封され、米飯加工食品は帯状フィルムに包まれた状態で外フィルムが二つ折りにされ、内フィルムの外端部がシールされることによって帯状フィルムによってほぼ密封される。したがって、この米飯加工食品の包装具は、米飯加工食品とシート状食品とを分離した状態で包装するため、米飯加工食品の水分によってシート状食品が湿気ることがなくパリパリ感が維持される。また、外フィルムを二つ折りとして、接合した内フィルムの外端部がシールされるため、ふんわりと柔らかく握られた米飯加工食品を好適に包装することができる。
【００１９】
そして、この米飯加工食品の包装具を開封するには、シールされた内フィルムの外端部およびこの内フィルムの外端部とシールされている外フィルムの外端部を切除して、二つ折りにされた外フィルムを平坦な状態に展開する。内フィルムおよび外フィルムの外端部は米飯加工食品上で切除されず、また、内フィルムおよび帯状フィルムは米飯加工食品とシート状食品との間から引き抜かれないため、米飯加工食品には外力が加えられず、割れることがない。
【００２０】
そして、外フィルムを平坦な状態に展開した後、他方の内フィルムの外周部を外フィルムの外周部から剥離することにより、シート状食品の片側を露出した状態とするとともに、帯状フィルムの２枚の端部を展開することにより、米飯加工食品を露出させる。その後、この露出した米飯加工食品を露出したシート状食品の片側に移し替え、一方の内フィルムと外フィルムとに挟まれているシート状食品を引き抜き、米飯加工食品に重ね合わせることにより、食する状態とすることができる。なお、この露出したシート状食品を前記米飯加工食品の露出している面に重ね合わせ、一方の内フィルムと帯状フィルムの中間部を米飯加工食品とシート状食品との間から抜くことによって食することもできる。
【００２１】
また、前記米飯加工食品の包装具において、前記内フィルムの外端部同士は、剥離不可能にシールされ、このシールされた部分よりも内側の外フィルムに切断手段が備えられていることが好ましい。この米飯加工食品の包装具によれば、内フィルムの外端部同士が剥離不可能にシールされることにより、米飯加工食品の包装具の搬送途中などにおいて、シールされた内フィルムの外端部同士は剥離することがなく、米飯加工食品が包装された状態を確実に維持することができるとともに、切断手段によって、シールされた内フィルムの外端部同士を切除することもできる。
【００２２】
また、前記米飯加工食品の包装具において、前記内フィルムの外端部同士は、剥離可能にシールされていてもよい。この米飯加工食品の包装具によれば、一対の内フィルムの外端部が剥離可能にシールとされることにより、シールされている２枚の内フィルムの各外端部を離隔する方向、すなわち、米飯加工食品から離隔する方向に引き離すだけで、シールされていた２枚の内フィルムの外端部は剥離して、二つ折りにされた外フィルムを平坦な状態に展開することができる。
【００２３】
また、前記と異なる本発明にかかる米飯加工食品の包装具は、前記帯状フィルムの中間部の外側部と前記一方の内フィルムの外端部とが重なり合っている米飯加工食品の包装体によって米飯加工食品を包装した米飯加工食品の包装具であって、前記帯状フィルムの中間部が米飯加工食品の一方の面に重ね合わされ、帯状フィルムの２枚の端部が米飯加工食品の他方の面に折り重ねられた状態で、前記外フィルムが二つ折りとされ、接合した帯状フィルムの中間部の外側部と帯状フィルムの端部の外側部とがシールされるとともに、該帯状フィルムの外側部と内フィルムの外端部とが重なり合ってシールされていることを特徴としている。
【００２４】
この米飯加工食品の包装具によれば、前記の米飯加工食品の包装具と同様、シート状食品は一対の内フィルムと外フィルムとの間に挟まれてほぼ密封され、米飯加工食品は帯状フィルムに包まれた状態で、二つ折りにされる。しかし、この米飯加工食品の包装具は、前記の米飯加工食品の包装具と異なり、外フィルムが二つ折りにされると、帯状フィルムの中間部の外側部と帯状フィルムの２枚の端部の外側部とが重なり合い、この外側部と内フィルムの外端部が重なり合ってシールされることにより、米飯加工食品はふんわりと柔らかく握られた状態を維持しつつ、帯状フィルムによってほぼ完全に密封されることとなり、乾燥しにくいようにし、また異物が混入しにくいようにすることができる。
【００２５】
そして、この米飯加工食品の包装具を開封するには、シールされた帯状フィルムの外側部と、シールされている内フィルムと外フィルムの外端部とを切除して、二つ折りにされた外フィルムを平坦な状態に展開する。この米飯加工食品の包装具にあっても、帯状フィルムの外側部および内フィルムと外フィルムの外端部は米飯加工食品上で切除されず、また、帯状フィルムおよび内フィルムは米飯加工食品とシート状食品との間から引き抜かれないため、米飯加工食品には外力が加えられず、割れないようにすることができるなど、開封の際および開封後は、前記の米飯加工食品の包装具と同様にして、食することができる。
【００２６】
また、前記米飯加工食品の包装具において、前記帯状フィルムの外側部同士は、剥離不可能にシールされ、このシールされた部分よりも内側の外フィルムに切断手段が備えられていることが好ましい。この米飯加工食品の包装具によれば、帯状フィルムの外側部同士が剥離不可能にシールされることにより、米飯加工食品の包装具の搬送途中などにおいて、シールされた帯状フィルムの外端部同士は剥離することがなく、米飯加工食品が包装された状態を確実に維持することができるとともに、切断手段によって、シールされた帯状フィルムの外側部同士を切除することもできる。
【００２７】
また、前記米飯加工食品の包装具において、前記帯状フィルムの外側部同士は、剥離可能にシールされていてもよい。この米飯加工食品の包装具によれば、帯状フィルムの外側部が剥離可能にシールされることにより、シールされている帯状フィルムの外側部を離隔する方向、すなわち、米飯加工食品から離隔する方向に引き離すだけで、シールされていた帯状フィルムの外側部は剥離して、二つ折りにされた外フィルムを平坦な状態に展開することができる。
【００２８】
また、前記米飯加工食品の包装具において、前記米飯加工食品の他方の面に折り重ねられている帯状フィルムの各端部同士は、ポイントシールまたは全長もしくは一部分を鋸歯形状ないし波形状もしく直線状に剥離可能にシールされていることが好ましい。この米飯加工食品の包装具によれば、帯状フィルムの各端部同士が剥離可能にシールされることにより、この外フィルムを二つ折りにするときなどにおいて、帯状フィルムの端部は位置ずれせず、帯状フィルムが米飯加工食品を包んだ状態で内フィルムの外端部同士または帯状フィルムの外側部同士をシールすることができる。また、帯状フィルムの各端部同士が米飯加工食品と重なり合った状態でポイントシールまたは全長もしくは一部分を鋸歯形状ないし波形状もしく直線状に剥離可能にシールされることにより、開封するときに、シールされた帯状フィルムの端部を容易に剥離することができるようにされている。
【発明の効果】
【００２９】
本発明によれば、米飯加工食品の包装体が一対の内フィルムと外フィルムと帯状フィルムとによって構成され、シート状食品が一対の内フィルムと外フィルムとに挟まれてほぼ密封されていることにより、湿気らないようにすることができるだけでなく、米飯加工食品は帯状フィルムによって包まれ、外フィルムが二つ折りにされることによって重なり合う内フィルムの上端部または帯状フィルムの外側部がシールされることにより、ほぼ密封された状態に包装される。したがって、本発明にかかる米飯加工食品の包装体は、米飯加工食品が三角形状だけでなく、任意の形状に柔らかくふんわりと握られていても、形崩れしないように包装することができる。
【００３０】
さらに、本発明にかかる米飯加工食品の包装具は、一対の内フィルムの外端部同士が重なり合ってシールされ、または、帯状フィルムの外側部がシールされ、このシールされた内フィルムの外端部、または、帯状フィルムの外端部を切除することによって開封することができる。内フィルムの外端部、または、帯状フィルムの外端部を切除するとき、および二つ折りとされた外フィルムを平坦な状態に展開するときには、内フィルムおよび帯状フィルムが米飯加工食品を擦らず、米飯加工食品には外力が加えられないため、米飯加工食品は柔らかくふんわりと握られていても、割れることがなく、ふんわり感などを味わうことができるようになる。したがって、本発明にかかる米飯加工食品の包装具は、柔らかくふんわりと握られた米飯加工食品を好適に包装することができる。
【発明を実施するための最良の形態】
【００３１】
本発明に係る米飯加工食品の包装体および米飯加工食品の包装具の第１の実施形態について、図１ないし図７を参照しながら説明する。この実施形態における米飯加工食品の包装体は、図１および図２に示すように、長方形状に並べられる一対の内フィルム１０，２０と、この一対の内フィルム１０，２０の外面側（図１ないし図３において下側）にシート状食品を介して重ね合わされる外フィルム３０と、一方の内フィルム１０の内面側（図１ないし図３において上側）に重ね合わされる帯状フィルム４０とを備えている。シート状食品としては、シート状の海苔１以外に、ゼラチンでシート状に形成された昆布や鰹節、その他、薄焼き卵や畳鰯なども使用することができるが、ここでは、海苔１として説明する。
【００３２】
また、一対の内フィルム１０，２０の内端部１１，２１は重ね合わされ、剥離可能にシールＡされている。このシールＡは、剥離しやすいように鋸歯形状ないし波形状とされている。鋸歯形状ないし波形状のシールＡには、多数の頂点ａ，ａ…が形成され、この頂点ａ，ａ…を起点として、シールされた内フィルム１０，２０の両内端部１１，２１を剥離することができる。したがって、鋸歯形状ないし波形状のシールは、直線状のシールよりも、引き裂きやすく、弱い力で剥離することができる。ただし、このシールＡは、一対の内フィルム１０，２０に隙間が生じないようにするものであれば、直線状など任意の形状とすることができる。
【００３３】
また、他方の内フィルム２０の内端部２１には、摘みやすくするための耳折り部２２が折り返されるように設けられている。ただし、耳折り部２２は、必須ではなく、内フィルム２０に備えないようにしてもよい。
【００３４】
一方、外フィルム３０は、長方形状に並べられた一対の内フィルム１０，２０とほぼ同じ大きさ（完全に同じ大きさを含む）の長方形状のもので、海苔１よりも一回り大きなサイズであり、一対の内フィルム１０，２０の内端部１１，２１を除いたコ字形の外周部１３，２３と外フィルム３０の外周部３３が接合するようにされ、この外周部１３，２３，３３がヒートシールなどによってシールされている（網点で図示）。
【００３５】
ただし、他方の内フィルム２０の耳折り部２２と内端部２１とがヒートシールされないように、両フィルム１０，２０，３０の外周部１３，２３，３３は一対の内フィルム１０，２０の内端部１１，２１を除いてヒートシールされている。したがって、他方の内フィルム２０が耳折り部２２を有していないときは、内フィルム１０，２０と外フィルム３０との外周部１３，２３，３３は全周ヒートシールしてもよい。
【００３６】
このようにして、内フィルム１０，２０と外フィルム３０とに挟まれた海苔１は、ほぼ密封された状態となっている。また、少なくとも他方の内フィルム２０と外フィルム３０とは剥離できるような弱シールとされている。ただし、ヒートシールする装置を簡略にするため、一方の内フィルム１０と外フィルム３０とも剥離できるような弱シールとしてもよい。逆に、内フィルム１０，２０と外フィルム３０とは、剥離できないような通常のシールとし、内フィルム１０，２０を外フィルムから引き破るようにすることもできる。
【００３７】
そして、外フィルム３０の外端部３４であって内フィルム１０，２０とシールされている部分よりも内側に、後記のようにシールされた一対の内フィルム１０，２０の外端部１４，２４を切除するための帯状の切断手段３１が全幅にわたって備えられている。切断手段３１は、カットテープ、またはカットテープに替え、あるいは併用してＰＰフィラメント糸のような合成糸が用いられるが、以下、カットテープ３１として説明する。さらに、外フィルム３０には、カットテープ３１の各端部に近接した位置にＩ字形、Ｖ字形その他Ｕ字形など任意の形状の切込み３２が入れられる。この切込み３２は、後記のように一対の内フィルム１０，２０の外端部１４，２４がヒートシールされた後に入れられる。なお、外フィルム３０は一軸延伸性を有するものを使用し、直進カット性が付与されていると、カットテープ３１を備えないようにすることもできる。
【００３８】
一方、帯状フィルム４０は、長方形状であり、一方の内フィルム１０上に重ね合わされる中間部４１と、この一方の内フィルム１０の各側縁から突出する端部４２，４２とを有している。したがって、帯状フィルム４０と外フィルム３０とは、十字架のような形状に配置される位置関係となる。
【００３９】
そして、帯状フィルム４０の中間部４１と一方の内フィルム１０とは、例えばヒートシールによって貼着される。ヒートシールは、ヒータが上下から挟むことによって各フィルムを溶着するものであるため、外フィルム３０に重ね合わされた一方の内フィルム１０上に帯状フィルム４０を重ね合わせた状態でヒートシールすると、外フィルム３０と一方の内フィルム１０と帯状フィルム４０とが一体に溶着される。ただし、一方の内フィルム１０と外フィルム３０とを重ね合わせ、両フィルム１０，３０の外周部１３，３３をヒートシールした後に、内フィルム１０上に帯状フィルム４０の中間部４１を重ね合わせ、改めて、外フィルム３０と一方の内フィルム１０と帯状フィルム４０とをヒートシールするようにしてもよい。
【００４０】
そして、この帯状フィルム４０と一方の内フィルム１０とのヒートシールは、帯状フィルム４０が一方の内フィルム１０から剥離しにくいようにするため、２本の平行なバーシールＢ，Ｂとされる。さらに、前記のように、帯状フィルム４０と一方の内フィルム１０だけでなく、外フィルム３０もヒートシールするときは、バーシールＢ，Ｂの間隔は、一対の内フィルム１０，２０と外フィルム３０との間に挟まれた海苔１の幅よりも広くされている。また、帯状フィルム４０と一方の内フィルム１０とは、バーシールＢ以外に複数箇所のポイントシールや接着剤などによってシールすることもできる。さらに、帯状フィルム４０の中間部４１の内側部４３は、シールせずに、折り曲げることができるようにしておいてもよい。
【００４１】
第１の実施形態における米飯加工食品の包装体は、以上のように構成され、次に、一対の内フィルム１０，２０と外フィルム３０との間に海苔１をほぼ密封した状態に挟んだ包装体によっておにぎり２を包装する米飯加工食品の包装具の実施形態について図２ないし図４を参照しながら説明する。
【００４２】
まず、前記米飯加工食品の包装体の帯状フィルム４０の中間部４１上に、図２の仮想線に示すようにおにぎり２を載せる。おにぎり２は、図示したような三角形状のほか、四角形状、円形状、棒状など形状を特定するものではない。
【００４３】
そして、図３の実線に示すように、帯状フィルム４０の２枚の端部４２，４２をおにぎり２の側面に重ね合わせることによって、帯状フィルム４０がおにぎり２を包む状態とする。また、２枚の端部４２，４２の先端部同士は重なり合い、この部分を図示したようなポイントシールＰ、または図示しないが、全長にわたってもしくは一部分を鋸歯形状ないし波形状もしくは直線状に剥離可能にシールすることにより、端部４２，４２がずれないようにする。なお、帯状フィルム４０の中間部４１の内側部４３が一方の内フィルム１０とシールされていると、おにぎり２の底部側は、帯状フィルム４０によって包まれず、開放された状態となっている。
【００４４】
そして、図４に示すように、外フィルム３０を二つ折りとし、両内フィルム１０，２０の外端部１４，２４を接合してシールすると、おにぎり２を包装した米飯加工食品の包装具ができあがる。内フィルム１０，２０の外端部１４，２４は、容易に剥離しないようにヒートシールされる。このとき、外フィルム３０の両外端部３４，３４に備えられた２本のカットテープ３１，３１が重なり合う。そして、このカットテープ３１，３１よりも内側の両フィルム１０，２０，３０に切込み３２，３２…を入れる。
【００４５】
また、外フィルム３０を二つ折りとするときに、重なり合っている帯状フィルム４０の端部４２，４２は、ポイントシールされているため、ずれることがなく、おにぎり２の側面部を包んだ状態を維持する。そして、おにぎり２の頂部側は、内フィルム１０，２０の外端部１４，２４がシールされることにより、帯状フィルム４０の中間部４１と端部４２，４２とが重なり合って、包まれる状態となり、おにぎり２の底部側は、外フィルム３０が二つ折りにされることから、帯状フィルム４０の中間部４１が折り曲げられることにより、おにぎり２はほぼ密封された状態となる。
【００４６】
なお、帯状フィルム４０の中間部４１の内側部４３が一方の内フィルム１０とシールされていないときは、帯状フィルム１０の内側部４３を折り曲げることにより、帯状フィルム１０の内側部４３がおにぎり２の底部を包むようにし、おにぎり２が完全に密封されるようにすることもできる。このように、おにぎり２が完全に密封されると、おにぎり２が乾燥せず、また、異物がおにぎり２を包装している部分に侵入しないようにすることができる。
【００４７】
このようにして、米飯加工食品の包装具は、おにぎり２と海苔１と分離して密封した状態に包装することができる。そして、おにぎり２を包装している帯状フィルム４０の中間部４１と一方の内フィルム１０とがバーシールＢ，Ｂされ、帯状フィルム４０が内フィルムから外れることがないようにされているため、米飯加工食品の包装具を搬送ないし陳列するときなどにおいて、おにぎり２は内外のフィルム１０，２０，３０間から飛び出ないようにされている。
【００４８】
次に、この米飯加工食品の包装具の開封方法について図５ないし図７を参照しながら説明する。
【００４９】
米飯加工食品の包装具を開封するには、まず、シールされた内フィルム１０，２０の外端部１４，２４と外フィルム３０の両外端部３４，３４を切除する。外フィルム３０の両外端部３４，３４には、カットテープ３１，３１が備えられ、かつ、切込み３２，３２…が入れられているため、この切込み３２，３２からカットテープ３１，３１に沿って内外のフィルム１０，２０，３０の外端部１４，２４，３４を容易に切除することができ、内外のフィルム１０，２０，３０に挟まれた海苔１を切断することがない。
【００５０】
そして、内外のフィルム１０，２０，３０の外端部１４，２４，３４を切除することにより、おにぎり２が帯状フィルム４０に包まれたまま、外フィルム３０を平坦な状態に展開することができる。内外のフィルム１０，２０，３０の外端部１４，２４，３４を切除し、さらに外フィルム３０を展開するに際して、おにぎり２には、外力が加えられず、割れることがないようにされている。
【００５１】
そして、図５に示すように、他方の内フィルム２０を外フィルム３０から剥離するとともに、おにぎり２に重ね合わされている帯状フィルム４０の両端部４２，４２を展開する。他方の内フィルム２０には、耳折り部２２が設けられているため、この耳折り部２２を摘みながら一対の内フィルム１０，２０のシールＡされた内端部１１，２１を容易に剥離することができ、さらに、他方の内フィルム２０の外周部２３と外フィルム３０との外周部３３とのシールを容易に剥離することができる。このようにして、他方の内フィルム２０の外周部２３を外フィルム３０の外周部３３から分離することにより、海苔１の片側ほぼ半分を露出させる。また、帯状フィルム４０の両端部４２，４２は、ポイントシールＰなど剥離可能にシールされているため、容易に剥離して、展開し、おにぎり２を露出した状態とすることができる。
【００５２】
そして、図６に示すように、帯状フィルム４０の中間部４１上のおにぎり２を露出した海苔１の上に移し替える。続いて、図７に示すように、一方の内フィルム１０と外フィルム３０との間に挟まれている部分の海苔１を引き出し、この海苔１を移し替えられたおにぎり２の上に重ね合わせることにより、おにぎり２はパリパリの状態の海苔１に挟まれ、食することができる。なお、一方の内フィルム１０と外フィルム３０との外周部１３，３３が弱くシールされているときは、一方の内フィルム１０を外フィルム３０から剥離して、海苔１を露出させ、おにぎり２上に重ね合わせるようにすることもできる。
【００５３】
ただし、図５に示すように、海苔１の片側ほぼ半分を露出させ、おにぎり２を露出させた後、その露出した海苔１を露出したおにぎり２に重ね合わせ、一方の内フィルム１０と帯状フィルム４０の中間部４１をおにぎり２と海苔１との間から引き抜くことによって、おにぎり２の両面が海苔１によって挟まれるようにすることもできる。
【００５４】
次に、本発明にかかる米飯加工食品の包装体および米飯加工食品の包装具の第２の実施形態について説明する。
【００５５】
第２の実施形態における米飯加工食品の包装具は、図８に示すように、米飯加工食品の包装体が二つ折りとされ、接合する内フィルム１０，２０の外端部１４，２４を剥離できように弱くシールすることを特徴としている。そして、一対の内フィルム１０，２０の両外端縁１５，２５は、摘むことができるようにシールしないようにされている。一方、米飯加工食品の包装体は、外フィルム３０にカットテープ３１や切込み３２が備えられていない構成を除いて、一対の内フィルム１０，２０と、外フィルム３０と帯状フィルム４０とから構成されるなど、前記の実施形態と同じであるため、その説明は省略する。
【００５６】
そして、おにぎり２を包装した米飯加工食品の包装具を開封するには、一対の内フィルム１０，２０の両外端縁１５，２５を摘んで離隔させる。すると、内フィルムの外端部１４，２４の弱シールが剥離し、外フィルム３０を平坦な状態に展開することができる。したがって、この米飯加工食品の包装具は前記の実施形態と同様、図５に示すように帯状フィルム４０を展開し、他方の内フィルム２０を外フィルム３０から剥離して海苔１の片側ほぼ半分を露出させた後、図６に示すように帯状フィルム４０上のおにぎり２を露出した海苔１の上に移し替え、図７に示すように一方の内フィルムと外フィルム３０とに挟まれている海苔１を引き出すことにより、海苔１がおにぎり２を挟んだ状態となって、食することができる。
【００５７】
次に、本発明にかかる米飯加工食品の包装体および米飯加工食品の包装具の第３の実施形態について説明する。
【００５８】
第３の実施形態における米飯加工食品の包装体は、図９に示すように、帯状フィルム４０が前記第１および第２の実施形態の帯状フィルム４０よりも幅広で、中間部４１の外側部４４が一方の内フィルム１０の外端部１４と重なり合い、帯状フィルム４０と外フィルム３０とはＴ字形に配置されることを特徴としている。したがって、この帯状フィルム４０は、図１０に示すように、２枚の端部４２，４２の先端部同士が重なり合った状態とすると、おにぎり２の頂部が帯状フィルム４０の外側部４４，４５，４５によって完全に包まれる。
【００５９】
そして、外フィルム３０を二つ折りとし、この米飯加工食品の包装体によっておにぎり２を包装した米飯加工食品の包装具は、帯状フィルム４０の中間部４１の外側部４４と２枚の端部４２，４２の外側部４５，４５とが重なり合い、さらに、この外側部４４，４５，４５と重なり合っているうちフィルム１０，２０の外端部１４，２４、外フィルム１０の３４，３４とをシールすると、おにぎり２が完全に密封された状態となる。したがって、おにぎり２は、乾燥することがなく、さらに、異物が混入しないようにすることができる。
【００６０】
この第３の実施形態の米飯加工食品の包装具も、第１および第２の実施形態の米飯加工食品の包装具と同様に開封するため、開封のための説明は省略する。
【００６１】
そして、前記第１から第３のいずれの実施形態における米飯加工食品の包装具であっても、おにぎり２と海苔１とが分離して包装されているため、海苔１は湿気ることがなく、パリパリの状態でおにぎり２に巻き付けることができる。しかも、おにぎり２は、米飯加工食品の包装体の外フィルム３０が二つ折りとされ、内フィルム１０，２０の外端部１４，２４がシールされるようにされていることから、ふんわりと柔らかく握られた状態が維持され、そのふんわり感を食することができる。さらに、米飯加工食品の包装具は、重ね合わされた内フィルム１０，２０の外端部１４，２４が切除され、おにぎり２と接している内フィルム１０，２０は、おにぎり２を擦ることがないから、おにぎり２には反対方向の力が加えられず、割れたり、形崩れたりすることなく、パリパリの状態の海苔１に包まれて食することができる。
【００６２】
なお、本発明は、前記の実施形態に限定することなく、特許請求の範囲に記載した技術的事項の範囲内において種々変更することができる。例えば、三角形のおにぎりの外形に即して包装するため、内フィルムは三角形状とし、一対の内フィルムおよび外フィルムを菱形とするなど、各フィルムは任意の形状とすることができる。
【図面の簡単な説明】
【００６３】
【図１】本発明に係る米飯加工食品の包装体の第１の実施形態を示し、各構成部分の間隔が大きな分解斜視図である。
【図２】本発明に係る米飯加工食品の包装体の第１の実施形態を示し、各構成部分の間隔が小さな分解斜視図である。
【図３】本発明に係る米飯加工食品の包装体の第１の実施形態を示す斜視図である。
【図４】本発明に係る米飯加工食品の包装具の第１の実施形態を示す斜視図である。
【図５】本発明に係る米飯加工食品の包装具の第１の実施形態であって開封途中を示す斜視図である。
【図６】本発明に係る米飯加工食品の包装具の第１の実施形態であって開封途中を示す斜視図である。
【図７】本発明に係る米飯加工食品の包装具の第１の実施形態であって開封後を示す斜視図である。
【図８】本発明に係る米飯加工食品の包装具の第２の実施形態を示す斜視図である。
【図９】本発明に係る米飯加工食品の包装具の第３の実施形態を示す斜視図である。
【図１０】本発明に係る米飯加工食品の包装具の第３の実施形態を示す斜視図である。
【図１１】従来の米飯加工食品の包装具である握飯包装用シートの斜視図であって、（ａ）は包装前の状態の斜視図、（ｂ）は包装途中の状態の斜視図、（ｃ）は包装後の状態の斜視図である。
【符号の説明】
【００６４】
１…海苔（シート状食品）
２…おにぎり（米飯加工食品）
１０，２０…内フィルム
１１，２１…内端部
２２…耳折り部
１３，２３…外周部
１４，２４…外端部
３０…外フィルム
３３…外周部
４０…帯状フィルム
４１…中間部
４２…端部
４３…内側部
４４，４５…外側部
Ａ…（鋸歯形状ないし波形状の）シール
Ｂ…バーシール
Ｐ…ポイントシール
【図１】
2005160439.tif 000003
【図２】
2005160439.tif 000004
【図３】
2005160439.tif 000005
【図４】
2005160439.tif 000006
【図５】
2005160439.tif 000007
【図６】
2005160439.tif 000008
【図７】
2005160439.tif 000009
【図８】
2005160439.tif 000010
【図９】
2005160439.tif 000011
【図１０】
2005160439.tif 000012
【図１１】
2005160439.tif 000013